(57)【特許請求の範囲】
【請求項１】
輪転機の印刷部と折り部との間に設けられ、前記印刷部で印刷され、重ね合わされた複数枚のウェブを前記折り部まで紙引きする輪転機の紙引き装置であって、
回転駆動されるドラグローラと、
前記複数枚のウェブを介して前記ドラグローラと当接し、前記複数枚のウェブを前記ドラグローラに押し付ける第一のベルト車と、
この第一のベルト車よりも前記ウェブの走行方向上流側に、前記ドラグローラと離間して配設された第二のベルト車と、
前記第一のベルト車と前記第二のベルト車とに巻き掛けられるとともに、前記第一のベルト車側の一部が前記ドラグローラに巻き付けられたベルトとを有し、
前記ベルトの前記ドラグローラに巻き付けられた部分から、前記第一のベルト車にかけて押力を徐々に増大させながら前記複数枚のウェブを前記ドラグローラに押し付けることを特徴とする輪転機の紙引き装置。
【請求項２】
前記第一のベルト車及び前記ベルトが前記ウェブを前記ドラグローラへ押し付ける押力を調整する押力調整手段を設けたことを特徴とする請求項１に記載の輪転機の紙引き装置。
【請求項３】
前記押力調整手段が、前記第一のベルト車と第二のベルト車を回転自在に支持する支持部材を、前記ドラグローラに向けて押す駆動体を有することを特徴とする請求項２に記載の輪転機の紙引き装置。
【請求項４】
前記駆動体が流体圧シリンダであり、この流体圧シリンダに供給する作動流体の圧力によって、前記押力を調整することを特徴とする請求項３に記載の輪転機の紙引き装置。
【請求項５】
前記ウェブの走行方向の、前記第一のベルト車より下流側に第三のベルト車を配設し、前記ベルトを前記第一のベルト車、第二のベルト車及び前記第三のベルト車に巻き掛けたことを特徴とする請求項１〜４のいずれかに記載の紙引き装置。
【請求項６】
前記第一のベルト車、第二のベルト車又は前記第三のベルト車を回転駆動させるための回転手段を有することを特徴とする請求項５に記載の輪転機の紙引き装置。
【請求項７】
前記第二のベルト車及び前記第三のベルト車の少なくとも一方を位置変更可能に設け、前記第二のベルト車又は前記第三のベルト車の位置を変更することで、前記ベルトの前記ドラグローラに対する巻き付け長さを変更できるようにしたことを特徴とする請求項５又は６に記載の輪転機の紙引き装置。
【発明の詳細な説明】
【０００１】
【発明の属する技術分野】
本発明は、輪転機の印刷部と当該印刷部で印刷されたウェブを折り畳む折部との間に配設され、前記印刷部の複数の印刷ユニットで印刷された複数のウェブを、印刷部から折部に引き込むための輪転機の紙引き装置に関するものである。
【０００２】
【従来の技術】
新聞の印刷に使用されている輪転機は、ロール状の巻き取り紙からウェブを供給する複数の給紙部と、この給紙部から供給されたウェブの片面又は両面に印刷を行う印刷部と、この印刷部で印刷されたウェブの走行経路を決定するレールフレーム部と、このレールフレーム部の下流に設けられ、前記ウェブを断裁して折り畳み、重ね合わせて新聞を形成する折り部とを有している。
【０００３】
前記した折り部には、重ね合わされた複数枚のウェブを折り畳む三角形状のフォーマーが設けられている。そして、このフォーマーの手前には、印刷部で印刷され、重ね合わされた複数枚のウェブを前記フォーマーに送り込むための紙引き装置が配置されている。この紙引き装置は、一般に、モータ等の駆動体の駆動によって回転駆動するドラッグローラと、このドラッグローラに前記ウェブを押しつけるためのワリスとを有している。
【０００４】
図６は、従来の紙引き装置の要部の構造を説明する概略側面図である。
同図において、紙引き装置は、回転駆動するドラグローラ１０２と、重ね合わされたウェブ１０４の上からドラグローラ１０２に押し付けられるワリスローラ１０１と、このワリスローラ１０１を所定の押力でドラグローラ１０２に押し付ける押力調整手段１０３とを有している。
【０００５】
ワリスローラ１０１は、重ね合わされた複数枚のウェブ１０４の紙引きを確実に行うために、新聞２頁幅のウェブ１０４の幅に対して複数設けられるのが一般的である。そして、ウェブ１０４の両側の余白部分及び中央の余白部分（頁と頁の間の余白部分）の四カ所でウェブ１０４を押さえて、しわ等を生じさせることなく確実に紙引きを行うことができるようにしている。このワリスローラ１０１は、後述する支持部材１０６に回転自在に配設してあり、ドラグローラ１０２の回転に従動して回転する。
【０００６】
また、ワリスローラ１０１は、エアシリンダ１０７を主構成要素とする押力調整手段１０３によって、重ね合わされた複数枚のウェブ１０４をドラグローラ１０２に押し付けている。そして、ドラグローラ１０２と接触するウェブ１０４が、ドラグローラ１０２の表面に対して滑らないようにしているとともに、重ね合わされたウェブ１０４どうしが滑らないようにしている。
【０００７】
前記した押力調整手段１０３は、輪転機のフレーム等に取り付けられる固定部材１０５と、この固定部材１０５に一端が回動自在に取り付けられ、ワリスローラ１０１を回転自在に取り付ける支持部材１０６と、シリンダ基部が固定部材１０５に取り付けられ、伸縮自在なピストンロッド１０７ａの先端が支持部材１０６の他端に取り付けられたエアシリンダ１０７とから概略構成される。
【０００８】
そして、エアシリンダ１０７のピストンロッド１０７ａを縮退させることでワリスローラ１０１をドラグローラ１０２から遠ざけ、ピストンロッド１０７ａを伸長させることで、ワリスローラ１０１とドラグローラ１０２との間にウェブ１０４を挟み込むことができるようになっている。また、エアシリンダ１０７は、エアの供給圧力を調整することにより、ウェブ１０４に対するワリスローラ１０１の押し付け力を強弱調整することが可能である。
【０００９】
しかしながら、上記構成の紙引き装置においては、複数枚重ね合わされたウェブ１０４を確実に折り部のフォーマーに送るために、ワリスローラ１０１はかなり強い押し付け力でウェブ１０４をドラグローラ１０２に押し付けている。そのため、ワリスローラ１０１に直接当接するウェブ１０４に圧着痕等の汚れが生じることがある。
また、ウェブ１０４とドラッグローラ１０２との間で滑りが生じることがあり、この滑りによって、ワリスローラ１０１により押力を受けている部分に汚れが生じることがある。
【００１０】
そのため、ワリスローラの代わりにベルトを用いることによって、このような問題点を解決しようとする試みがなされている。
例えば、実開平６−８６６３号公報に開示されている巻紙輪転印刷機の紙引き装置では、図７に示すように、回転駆動されるドラグローラ１０２と、回転駆動さる駆動ローラ１１０と、複数の従動ローラ１１２，１１２と、これら駆動ローラ１１０及び従動ローラ１１２，１１２に巻き掛けられたベルト１１３と、ベルト１１３のテンションを調整するテンションコロ１１１とを有している。
【００１１】
そして、駆動ローラ１１０によってドラグローラ１０２の周速と同じ速度で走行しているベルト１１３の一部をドラグローラ１０２に巻き付けることで、重ね合わされた複数枚のウェブ１０４が、ベルト１１３によってドラグローラ１０２に押し付けられるようにしている。
【００１２】
また、例えば、特開２０００−１６６９０号公報に開示されている紙引き装置では、図８に示すように、回転駆動される駆動ローラ２１３と、ドラグローラ２０２と、ドラグローラ２０２に押し付けられる二つの押えローラ２１１，２１２と、駆動ローラ２１３及び押えローラ２１１，２１２に巻き掛けられた押えベルト２１４とを有している。
押えローラ２１１，２１２は、位置調整部材２２０とともに、互いに近接する方向又は離間する方向に位置調整自在で、これによって、連続紙（ウェブ）２０３に付与することのできる押し付け力を調整することができるようになっている。
【００１３】
【発明が解決しようとする課題】
しかし、実開平６−８６６３号公報に開示された巻紙輪転印刷機の紙引き装置は、所定のテンションが加えられたベルトのみでウェブを押し付ける構成であるため、ウェブの枚数が多くなると、十分な押し付け力を得ることができず、ドラグローラ１０２とウェブ１０４との間で滑りが生じやすくなるといった問題があった。
【００１４】
さらに、特開２０００−１６６９０号公報に記載の紙引き装置は、二つの押えローラ２１１，２１２で大きな押し付け力を得ることができるものの、これら二つの押えローラ２１１，２１２による押し付け力が同じになるように位置合わせするのはきわめて難しく、作業性が悪いうえ、実際上、圧着による紙さけやしわの発生などを効果的に防止することができないという問題があった。
【００１５】
本発明は、このような問題を解決するために提案されたものであり、重ね合わされたウェブの枚数や走行速度が変化しても、紙面の汚れ、圧着による紙さけ、しわの発生などといった不具合を、極めて効果的に防止することができる輪転機の紙引き装置を提供することを目的とするものである。
【００１６】
【課題を解決するための手段】
上記目的を達成するため、本発明の輪転機の紙引き装置は、輪転機の印刷部と折り部との間に設けられ、前記印刷部で印刷され、重ね合わされた複数枚のウェブを前記折り部まで紙引きする輪転機の紙引き装置であって、回転駆動されるドラグローラと、前記複数枚のウェブを介して前記ドラグローラと当接し、前記複数枚のウェブを前記ドラグローラに押し付ける第一のベルト車と、この第一のベルト車よりも前記ウェブの走行方向上流側に、前記ドラグローラと離間して配設された第二のベルト車と、前記第一のベルト車と前記第二のベルト車とに巻き掛けられるとともに、前記第一のベルト車側の一部が前記ドラグローラに巻き付けられたベルトとを有し、前記ベルトの前記ドラグローラに巻き付けられた部分から、前記第一のベルト車にかけて押力を徐々に増大させながら前記複数枚のウェブを前記ドラグローラに押し付ける構成としてある。
【００１７】
この構成によれば、第一のベルト車と第二のベルト車に巻き掛けられたベルトの一部がドラグローラに巻き付けられ、この部分でもウェブをドラグローラに押し付けて紙引きを行う。したがって、紙引き装置でウェブに作用する単位面積当たりの押し付け力を小さくすることができ、紙面の汚れ等の不具合を防止することができる。
また、必要な押力の一部をベルトが負担するので、第一のベルト車によるウェブの押し付け力を小さくすることができ、これによっても紙面の汚れ等の不具合を防止することができる。
【００１８】
さらに、第二のベルト車を第一のベルト車の走行方向上流側に設けているので、ベルトは、第一のベルト車よりも走行方向上流側でドラグローラに巻き付くことになる。したがって、ウェブは、まずベルトによってドラグローラに押し付けられ、次いで、第一のベルト車によってドラグローラに押し付けられることになる。そのため、ワリスローラ単独の場合に比して、押力を徐々に増大させることができ、瞬間的に大きな押力が作用する従来の紙引き装置に比べて圧着による紙さけやしわの発生などといった不具合をより効果的に防止することができる。
【００１９】
請求項２に記載の紙引き装置は、前記第一のベルト車及び前記ベルトが前記ウェブを前記ドラグローラへ押し付ける押力を調整する押力調整手段を設けた構成としてある。
この構成によれば、ウェブの枚数や走行速度等に応じて、第一のベルト車及びベルトによるウェブの押し付け力を強弱調整することができる。
【００２０】
請求項３に記載の発明は、前記押力調整手段が、前記第一のベルト車と第二のベルト車を回転自在に支持する支持部材を前記ドラグローラに向けて押す駆動体である構成としてある。
この構成によれば、前記駆動体を駆動して支持部材を所定の押力で押すことで、第一のベルト車による押力とベルトによる押力を同時に調整することが可能になる。
【００２１】
前記駆動体は、請求項４に記載するように、流体圧シリンダであるのが好ましく、この流体圧シリンダに供給する作動流体の圧力によって、前記押力を調整するようにするのがよい。
流体圧シリンダに供給する作動流体としては、エア等の気体のほか油等の液体であってもよい。
【００２２】
請求項５に記載の発明は、前記ウェブの走行方向の、前記第一のベルト車より下流側に第三のベルト車を配設し、前記ベルトを前記第一のベルト車、第二のベルト車及び前記第三のベルト車に巻き掛けた構成としてある。
この構成によれば、ウェブの走行方向下流側にもドラグローラにベルトを巻き付けることができ、接触面積の増大によって単位面積当たりの押力をさらに小さくすることができる。
さらに、押力の解除が徐々に行われるので、圧着による紙さけやしわの発生などといった不具合をより効果的に防止することができる。
【００２３】
請求項６に記載の発明は、前記第一のベルト車、第二のベルト車又は前記第三のベルト車を回転駆動させるための回転手段を有する構成としてある。
このように構成することで、第一のベルト車、第二のベルト車又は第三のベルト車をドラグローラの回転に同調させて回転駆動させることで、ウェブとドラグローラとの間の滑り及びウェブとベルトとの間の滑りの発生を防止することができる。
【００２４】
請求項７に記載の発明は、前記第二のベルト車及び前記第三のベルト車の少なくとも一方を位置変更可能に設け、前記第二のベルト車又は前記第三のベルト車の位置を変更することで、前記ベルトの前記ドラグローラに対する巻き付け長さを変更できるようにした構成としてある。
この構成によれば、ドラグローラに対するベルトの接触長さ（巻き付き長さ）を調整することができるようになる。
【００２５】
【発明の実施の形態】
以下、本発明の輪転機の紙引き装置の好適な実施形態を、図面を参照しながら詳細に説明する。
図１は、本発明の紙引き装置の第一の実施形態にかかり、その構成を説明するための概略側面図、図２は、図１の要部の拡大図、図３は図２のＩ−Ｉ方向矢視図である。
【００２６】
図１において、紙引き装置１は、回転駆動されるドラグローラ２と、重ね合わされた複数枚のウェブ１０をドラグローラ２に押し付ける第一のベルト車３と、この第一のベルト車３よりもウェブ１０の走行方向下流側に配設された第二のベルト車４と、第一のベルト車３と第二のベルト車４に巻き掛けられ、ウェブ１０をドラグローラ２に押し付けるベルト５と、第一のベルト車３および第二のベルト車４を支点Ｘを中心に回転自在に支持する略三角形状の支持フレーム６と、第一のベルト車３およびベルト５がウェブ１０をドラグローラ２に押し付ける力を調整するための押力調整手段７とを有している。
【００２７】
第一のベルト車３は、略三角形状の支持フレーム６の一方側（ウェブ１０の走行方向下流側）の頂部に、回転自在に取り付けられている。この第一のベルト車３は、従来の紙引き装置におけるワリスと同様に、新聞２頁幅のウェブ１０の幅に対して複数設けられている。この実施形態では、ウェブ１０の両側の余白部分及び中央の余白部分（頁と頁の間の余白部分）でウェブ１０を押さえることができるように、四個設けられている。
【００２８】
なお、第一のベルト車３又は第二のベルト車４は、ドラグローラ２の回転に従動して回転するように構成してもよいし、モータ等の回転手段によって回転駆動させるように構成してもよい。第一のベルト車３又は第二のベルト車４をドラグローラ２の回転に同調させて回転駆動させることで、ウェブ１０とドラグローラ２との間の滑り及びウェブ１０とベルト５との間の滑りの発生をより効果的に防止することができるという利点がある。
【００２９】
上記構成の第一のベルト車３は、後述する押力調整手段７によって、ドラグローラ２に、図１のＣ点で押し付けられる。第一のベルト車３に巻き掛けられたベルト５は、このＣ点と、ドラグローラ２の表面に沿ったウェブ１０の走行方向上流側のＤ点との間で、ドラグローラ２に巻き付けられる。
また、ウェブ１０は、前記Ｄ点よりもさらに走行方向上流側のＡ点又はＡ点の近傍でドラグローラ２に接触し、前記Ｃ点よりも走行方向下流側のＢ点で、ドラグローラ２から離れるように、紙引き装置１に導かれる。
【００３０】
第二のベルト車４は、略三角形状の支持フレーム６の他方側（ウェブ１０の走行方向上流側）の頂部に、回転自在に設けられている。この実施形態で第二のベルト車４は、第一のベルト車３とほぼ同じ形状・大きさとしてある。
また、第二のベルト車４の回転軸４１は、支持フレーム６の他方側に形成された長孔４２に挿入され、ボルトやナット（図示せず）などの固定手段によって支持フレーム６に固定されている。長孔４２は、第二のベルト車４とともにベルト５をドラグローラ２の表面に接近させる方向と遠ざける方向に移動させることができるように、支持フレーム６に形成されている。
【００３１】
このようにすると、回転軸４１の固定を解除し、第二のベルト車４を長穴４２に沿って移動させることで、点ＣＤ間の円弧長さで表されるドラグローラ２に対するベルト５の接触長さ（巻き付き長さ）を調整することができる。
これを、図２を参照しながら説明する。図２では、第二のベルト車４を移動させる前のベルト５の位置を実線で、移動後のベルト５の位置を仮想線（二点鎖線）で示している。
第二のベルト車４を移動させる前の状態では、前記したように、ベルト５は図２中実線で示す位置にあり、ベルト５のドラグローラ２に対する接触長さＬは円弧ＣＤの長さに等しい。
【００３２】
第二のベルト車４を下方、つまり、ドラグローラ２側に移動させると、ベルト５も全体的にドラグローラ２に接近し、ベルト５がドラグローラ２に接触する点がウェブ１０の走行方向上流側に移動する。この点をＤ′で表す。図示するように、第二のベルト車４を下方に移動させることで、接触長さＬ′（円弧ＣＤ′の長さに等しい）が移動前の接触長さＬよりも長くなる。
このように、長孔４２と前記固定手段は、複数枚のウェブ１０に対するベルト５の接触長さを調整する接触長さ調整手段として作用し、ウェブ１０の紙質，重ね合わせの枚数および走行速度などに応じて、ベルト５の接触長さを調整することができる。
【００３３】
ベルト５は、第一のベルト車３と第二のベルト車４に巻き掛けられている。図３に示すように、第一のベルト車３は、巻き掛けられたベルト５を介して、ウェブ１０をドラグローラ２に押し付ける。
また、図示はしないが、ベルト５の走行経路上にテンション調整用のローラを配置して、このローラをベルト５に押し当てることで、ベルト５のテンション調整を行うことができるようにしてもよい。
【００３４】
ベルト５の材質は特に限定されるものではない。金属，樹脂，ゴム及びこれらの複合材料などを用いることができる。好ましくは、第一のベルト車３及び第二のベルト車４とベルト５との間に容易に滑りが生じないものであるのがよい。また、ベルト５として歯付ベルトを用い、第一のベルト車３及び第二のベルト車４として歯付プーリ等を用いることで、第一のベルト車３及び第二のベルト車４とベルト５との間の滑りやずれを完全に無くすことができる。
さらに、紙引き時に、一時的に増大した負荷により、ウェブ１０どうしで滑りが生じるよりも早く、ウェブ１０とベルト５との間で滑りが生じるように、例えば、ウェブ１０同士の摩擦係数よりもベルト５の表面とウェブ１０との間の摩擦係数を小さくするのが良い。このようにすることで、紙引きの際に何らかの原因で急激に負荷が作用しても、ベルト５とウェブ１０との間で滑りが生じるので、重ね合わされたウェブ１０がずれてしまうという不具合を防止することができる。
なお、ベルト５は、本発明の紙引き装置に専用のものであってもよいが、市販のものを用いることができる。そのため、従来の特注品のワリスローラに比して、ベルトが摩耗等した場合にも、短期間かつ廉価なコストでベルトを購入することができ、かつ、保守作業も容易で経済的にも有利であるという利点がある。
【００３５】
押力調整手段７は、輪転機のフレーム等に取りつけられる固定部材７１と、この固定部材７１に回動自在に取り付けられた支持フレーム６を回動させる流体圧シリンダとしてのエアシリンダ７３とから概略構成される。エアシリンダ７３のシリンダ基部は固定部材７１に取り付けられ、伸縮自在なピストンロッド７３ａの先端が支持フレーム６の三番目の頂部に連結される。
この態様により、エアシリンダ７３が駆動してピストンロッド７３ａが伸長すると、第一のベルト車３がドラグローラ２に押し付けられるとともに、ベルト５の一部がドラグローラ２に所定長さ巻き付けられる。また、シリンダ内に供給する作動流体であるエアの圧力を調整することで、第一のベルト車３およびベルト５をドラグローラ２に押し付ける力を調整することができる。
また、ピストンロッド７３ａが縮退すると、第一のベルト車３及びベルト５がドラグローラ２から離れるので、ウェブ１０のセットや紙引き装置１の点検などを容易に行うことができる。
【００３６】
上記構成の紙引き装置１によれば、ウェブ１０の紙引きが、第一のベルト車３だけでなく、ドラグローラ２に一部が巻き付けられるように張設されたベルト５によっても行われるため、ワリスローラ単独の場合よりもウェブ１０との接触面積を大きくすることができ、ウェブに作用する単位面積当たりの押力の低減によって、紙面の汚れやしわの発生等の不具合を有効に防止することができる。
また、第二のベルト車４の位置を調整することで、簡単にベルト５のドラグローラ２に対する巻き付け長さを調整することができる。
さらに、第一のベルト車３とベルト５の協働によって紙引きを行うので、ベルト単独の場合よりもウェブ１０との間で滑りが生じにくく、複数枚のウェブ１０を効率良く押えて、確実な紙引きを行うことができる。
【００３７】
また、紙引き装置１に導入されたウェブ１０は、図１又は図２に示すＤ点でまずベルト５によってドラグローラ２の表面に押し付けられ、次いで、Ｃ点で第一のベルト車３よってドラグローラ２の表面に押し付けられるので、重ね合わされたウェブ１０には、Ｄ点からＣ点に向かうにしたがって徐々に大きな押力が加えられることになる。
すなわち、従来のようにワリスローラが単独で紙引きを行うような場合には、前記ワリスローラによって急激に大きな押力がウェブ１０に作用することになるが、本発明では、ウェブ１０に作用する押力がＤ点からＣ点までの間で徐々に増大するので、急激な負荷が作用することによる圧着による紙さけやしわの発生などといった不具合をより効果的に防止することができる。
【００３８】
［第二の実施形態］
本発明の紙引き装置の第二の実施形態を図４及び図５に示す。
なお、図４及び図５において、第一の実施形態の紙引き装置と同一の部分、同一の部材には同一の符号を付して、詳しい説明は省略する。
図４は、第二の実施形態の紙引き装置を説明するための概略図である。
【００３９】
この実施形態の紙引き装置１′は、図４に示すように、複数枚のウェブ１０をドラグローラ２に押し付ける第一のベルト車３ａと、第一のベルト車３ａよりもウェブ１０の走行方向上流側に配設された第二のベルト車４ａと、第一のベルト車３ａの走行方向下流側に配設された第三のベルト車４ｂと、第一のベルト車３ａ、第二のベルト車４ａ及び第三のベルト車４ｂに巻き掛けられ、ウェブ１０をドラグローラ２に押し付けるベルト５とを有する構成としてある。
【００４０】
この実施形態の紙引き装置１′では、第一の実施形態の紙引き装置１よりもベルト５のウェブ１０に対する接触長さ（巻き付け長さ）Ｌ″をさらに長くすることができ、ウェブ１０に作用する単位面積当たりの押力をさらに小さくすることができるという利点がある。
また、第一の実施形態の紙引き装置１と同様に、ウェブ１０がベルト５に接触するＤ点から第一のベルト車３ａによって大きな押力を受けるＣ点までの間で押力を徐々に増大させることができるだけでなく、Ｃ点からベルト５がウェブ１０から離れるＥ点の間で押力の解除が徐々に行われるので、圧着による紙さけやしわの発生などといった不具合をより効果的に防止することができる。
【００４１】
図５は、この第二の実施形態における紙引き装置１′の具体的構成を示す概略図である。
第一のベルト車３ａ、第二のベルト車４ａ及び第三のベルト車４ｂは、支持フレーム６′に回転自在に取り付けられている。支持フレーム６′は、エアシリンダ７３のピストンロッド７３ａが連結される頂部を頂点とする、ほぼ直角二等辺三角形状に形成され、底辺の両端に位置する二つの頂部のうちの走行方向上流側の頂部に第二のベルト車４ａが、下流側の頂部に第三のベルト車４ｂが取り付けられている。また、底辺のほぼ中央には、第一のベルト車３ａが取り付けられている。
【００４２】
第二のベルト車４ａは、第一の実施形態と同様に長孔４２に沿って移動させることができ、第一のベルト３ａよりも走行方向上流側におけるベルト５のドラグローラ２への巻き付け長さを変えることができるようなっている。
特に図示はしないが、第三のベルト車４ｂについても、第二のベルト車４ａと同様に長孔に沿って移動可能とすることで、第一のベルト３ａよりも走行方向下流側におけるベルト５のドラグローラ２への巻き付け長さを変えることができるようなる。
【００４３】
また、この第二の実施形態においても、第一のベルト車３ａ、第二のベルト車４ａ又は第二のベルト車４ｂのいずれかをドラグローラ２の回転に同調させて回転駆動させるようにしてもよい。このようにすることで、ウェブ１０とドラグローラ２との間の滑り及びウェブ１０とベルト５との間の滑りの発生をより効果的に防止することができる。
【００４４】
本発明の好適な実施形態について説明してきたが、本発明は上記の実施形態により何ら限定されるものではない。
例えば、上記の説明では、支持部材は略三角形のフレーム状であるとして説明したが、各ベルト車を回転自在に支持することができるのであれば、支持部材の形状及び形態は種々のものを採用することが可能である。
また、押力調整手段の駆動体はエアシリンダであるとして説明したが、エア以外の作動流体、例えば作動油によって駆動される流体圧シリンダであってもよい。さらに、押力を調整することができるのであれば、駆動体は流体圧シリンダに限らず、モータとねじ機構，スプリング，その他とを組み合わせた他の駆動体であってもよい。
【００４５】
【発明の効果】
以上説明したように、本発明の輪転機の紙引き装置は、ベルトとこのベルトを巻き掛けるベルト車とでウェブをドラグローラに押し付けて紙引きを行うので、重ね合わされたウェブの枚数や走行速度が変化しても、紙面の汚れ、圧着による紙さけ、しわの発生などといった不具合を、極めて効果的に防止することができる。
また、ウェブの走行方向上流側から第一のベルト車までベルトがドラグローラに巻き付けられるように構成してあるので、紙引き装置によってウェブに作用する押力を徐々に増大させることができ、これによっても圧着による紙さけ、しわの発生などといった不具合をさらに効果的に防止することができる。
【図面の簡単な説明】
【図１】本発明の紙引き装置の第一の実施形態にかかり、その構成を説明するための概略側面図である。
【図２】図１の要部の拡大図である。
【図３】図２のＩ−Ｉ方向矢視図である。
【図４】第二の実施形態の紙引き装置を説明するための概略図である。
【図５】第二の実施形態における紙引き装置の具体的構成を示す概略図である。
【図６】従来の紙引き装置の要部の構造を説明する概略側面図である。
【図７】本発明の従来例にかかり、実開平６−８６６３号公報に開示されている輪転印刷機の紙引き装置の概略図である。
【図８】本発明の従来例にかかり、特開２０００−１６６９０号公報に開示されている紙引き装置の概略図である。
【符号の説明】
１，１′  紙引き装置
２  ドラグローラ
３，３ａ  第一のベルト車
４，４ａ  第二のベルト車
４ｂ  第三のベルト車
５  ベルト
６，６′  支持フレーム（支持部材）
７  押力調整手段
１０  ウェブ
４１  回転軸
４２  長穴
７１  固定部材
７３  エアシリンダ（流体圧シリンダ）
Ａ  ウェブがドラグローラに接触する点
Ｂ  ウェブがドラグローラから離れる点
Ｃ  第一のベルト車によってウェブがドラグローラに押し付けられる点
Ｄ  ベルトがドラグローラに接触する点
Ｄ′  第二のベルト車の位置調整によって変化したベルトがドラグローラに接触する点
Ｅ  ベルトがドラグローラから離れる点（第二の実施形態）
【図１】
0003562800.tif 000002
【図２】
0003562800.tif 000003
【図３】
0003562800.tif 000004
【図４】
0003562800.tif 000005
【図５】
0003562800.tif 000006
【図６】
0003562800.tif 000007
【図７】
0003562800.tif 000008
【図８】
0003562800.tif 000009